(57)【要約】【課題】昇降機構を内蔵した脚体で両側部を支持された天板を有し、該天板の高さを調節可能な昇降天板付きデスクにおいて、天板の後部上位に棚を設けて使用勝手を良くするとともに、天板の昇降と組み合わせて多様な使用形態を実現でき、あるいはＦＰＤ等のオプション器具を天板と共に高さ調節することを可能とする昇降天板付きデスクの棚装置を提供する。【解決手段】両側に配した脚体２を固定脚６の内部に可動脚７の下部を上下動可能に支持した構造とし、これら固定脚と可動脚とに関連づけて駆動機構を設けて可動脚を昇降可能とし、可動脚の上端に取付けた昇降天板１の高さを調節可能とし、昇降天板の後方側部であって固定脚に固定支柱８を取付けて立設するとともに、固定支柱に小天板９を支持し、昇降天板の昇降動作に干渉されずに小天板の高さを一定に維持する。【選択図】        図１
2008119072.tif 000002
【特許請求の範囲】
【請求項１】
両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた昇降天板の高さを調節可能とした昇降天板付きデスクにおいて、前記昇降天板の後方側部であって前記固定脚に固定支柱を取付けて立設するとともに、該固定支柱に小天板を支持し、前記昇降天板の昇降動作に干渉されずに前記小天板の高さを一定に維持することを特徴とする昇降天板付きデスクの棚装置。
【請求項２】
前記昇降天板の後方両側部にそれぞれ前記固定支柱を立設し、該固定支柱にそれぞれ小天板を支持してなる請求項１記載の昇降天板付きデスクの棚装置。
【請求項３】
前記昇降天板の後縁で前記小天板より中央寄り位置に、該昇降天板とともに昇降する可動支柱を取付けて立設するとともに、該可動支柱にハンギングビーム又は棚板を支持してなる請求項１又は２記載の昇降天板付きデスクの棚装置。
【請求項４】
前記昇降天板の後方両側部にそれぞれ前記固定支柱を立設し、該固定支柱の上端にそれぞれ小天板を支持し、前記昇降天板の後縁で両小天板より中央寄りの左右両側位置に、該昇降天板とともに昇降する一対の可動支柱を取付けて立設するとともに、両可動支柱間にハンギングビームを支持し、あるいは両可動支柱の上端で棚板を支持してなる請求項１記載の昇降天板付きデスクの棚装置。
【請求項５】
前記小天板の側端縁を直線状とするとともに、該側端縁を前記昇降天板の側縁と略同一垂直面に設定してなる請求項１〜４何れかに記載の昇降天板付きデスクの棚装置。
【請求項６】
前記両脚体の固定脚の後端間に、前記昇降天板の後縁との間にダクト開口を設けて幕板を渡設するとともに、該幕板の背面に前記昇降天板より高いパネル板を取付け、前記ダクト開口を通して立設した前記固定支柱に支持した前記小天板の後端縁を直線状とし、該小天板を前記パネル板の前面に接合若しくは接近させて配置してなる請求項１〜５何れかに記載の昇降天板付きデスクの棚装置。
【発明の詳細な説明】
【技術分野】
【０００１】
本発明は、昇降天板付きデスクの棚装置に関するものである。
【背景技術】
【０００２】
従来から、両側に配した脚体を、固定脚の内部に可動脚の下部を上下動可能に支持した構造とし、これら固定脚と可動脚との間に駆動機構を設けて該可動脚を昇降可能とし、該可動脚の上端に取付けた天板の高さを調節可能とした昇降天板付きデスク装置は各種提供されている。また、昇降天板付きデスクにおいて、昇降天板の後方両側部に固定支柱を立設し、該両支柱の上端に上キャビネットを設けた構造のものも提供されている。
【０００３】
例えば、特許文献１には、テーブル天板を両側の伸縮可能な脚体で支持するとともに、後部両側に立設した支柱間にパネルを装着して前記テーブル天板の後部上位に配置し、該パネルの前面に整理棚を設けたり、パネルの代わりに支柱の上端部にキャビネットを設ける組替え可能な作業テーブルが記載されている。更に、前述の高さ調節可能なテーブル天板の後方に、前記両支柱に支持された奥行幅の狭いテーブル天板を設けることも開示されている。
【０００４】
また、特許文献２には、天板の後縁に接近させて支持部材を立設し、該支持部材にパネルを装着するとともに、該パネルの前面側で天板の上位に補助天板を前記支持部材に支持して設けたデスクが記載されている。ここで、前記補助天板として、天板と同じ横幅を有するものや、それよりも横幅が狭いもの、あるいは横幅の狭いものが開示され、横幅の狭い補助天板を天板の左右両側部に設ける態様も開示されている。しかし、前記天板と補助天板の高さは固定的である。
【０００５】
昇降天板付きデスクは、使用者の体格に応じて、またパソコン操作や書類作成等の使用目的に応じて最適に天板の高さを設定できるので好ましいが、従来のこの種の昇降天板付きデスクでは天板の後部上位に棚を設けたものがなく、またフラットパネルディスプレイ（以下「ＦＰＤ」とする）を設ける場合には、天板と一緒に高さ調節できることが好ましいが、従来のＦＰＤ保持機能は固定天板や固定部に支持するものが殆どである。
【特許文献１】特許第２７６１１０３号公報
【特許文献２】特開２００３−１１１６２３号公報
【発明の開示】
【発明が解決しようとする課題】
【０００６】
そこで、本発明が前述の状況に鑑み、解決しようとするところは、昇降機構を内蔵した脚体で両側部を支持された天板を有し、該天板の高さを調節可能な昇降天板付きデスクにおいて、天板の後部上位に棚を設けて使用勝手を良くするとともに、天板の昇降と組み合わせて多様な使用形態を実現でき、あるいはＦＰＤ等のオプション器具を天板と共に高さ調節することを可能とする昇降天板付きデスクの棚装置を提供する点にある。
【課題を解決するための手段】
【０００７】
本発明は、前述の課題解決のために、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた昇降天板の高さを調節可能とした昇降天板付きデスクにおいて、前記昇降天板の後方側部であって前記固定脚に固定支柱を取付けて立設するとともに、該固定支柱に小天板を支持し、前記昇降天板の昇降動作に干渉されずに前記小天板の高さを一定に維持することを特徴とする昇降天板付きデスクの棚装置を構成した（請求項１）。
【０００８】
ここで、前記昇降天板の後方両側部にそれぞれ前記固定支柱を立設し、該固定支柱にそれぞれ小天板を支持してなることが好ましい（請求項２）。
【０００９】
また、前記昇降天板の後縁で前記小天板より中央寄り位置に、該昇降天板とともに昇降する可動支柱を取付けて立設するとともに、該可動支柱にハンギングビーム又は棚板を支持してなることも好ましい（請求項３）。
【００１０】
更に、前記昇降天板の後方両側部にそれぞれ前記固定支柱を立設し、該固定支柱の上端にそれぞれ小天板を支持し、前記昇降天板の後縁で両小天板より中央寄りの左右両側位置に、該昇降天板とともに昇降する一対の可動支柱を取付けて立設するとともに、両可動支柱間にハンギングビームを支持し、あるいは両可動支柱の上端で棚板を支持してなることがより好ましい（請求項４）。
【００１１】
また、前記小天板の側端縁を直線状とするとともに、該側端縁を前記昇降天板の側縁と略同一垂直面に設定してなることも好ましい（請求項５）。
【００１２】
そして、前記両脚体の固定脚の後端間に、前記昇降天板の後縁との間にダクト開口を設けて幕板を渡設するとともに、該幕板の背面に前記昇降天板より高いパネル板を取付け、前記ダクト開口を通して立設した前記固定支柱に支持した前記小天板の後端縁を直線状とし、該小天板を前記パネル板の前面に接合若しくは接近させて配置してなることも好ましい（請求項６）。
【発明の効果】
【００１３】
以上にしてなる請求項１に係る発明の昇降天板付きデスクの棚装置によれば、昇降天板の後方側部であって固定脚に固定支柱を取付けて立設するとともに、該固定支柱に小天板を支持し、前記昇降天板の昇降動作に干渉されずに前記小天板の高さを一定に維持するので、小天板が昇降天板の昇降動作に一切影響を受けないので、該小天板に書類、お茶椀、花瓶、電話機等の物品を載置した状態で、昇降天板を昇降させて高さ調節しても物品が小天板から落下したり、ずれたりしないのである。
【００１４】
請求項２によれば、昇降天板の後方両側部にそれぞれ固定支柱を立設し、該固定支柱にそれぞれ小天板を支持すれば、昇降天板の後部両側に小天板からなる棚を設けることができ、昇降天板の中央部を広く使うことができると同時に、左右の小天板に載置した書類等の資料や電話機を取り易くなる。
【００１５】
請求項３によれば、昇降天板の後方側部に設けた高さが固定された小天板と、その小天板より中央寄り位置に設けた昇降天板と共に昇降するハンギングビーム又は棚板とを組み合わせて使用できるので、物品を載置し、あるいは係止する棚装置としての使用態様の多様性を実現できる。
【００１６】
請求項４によれば、昇降天板の後方両側部に小天板が位置するとともに、その間にハンギングビーム又は棚板が位置するので、左右の小天板と連係させて、あるいは小天板とは独立させてハンギングビーム又は棚板を目的に応じて使用することができる。特に両小天板の間にハンギングビームが存在する場合には、該ハンギングビームにフラットパネルディスプレイやトレーを前面側に支持す、後面側に配線コードを支持した状態で、昇降天板を昇降動作させた場合でも、昇降天板と一体となって昇降するので全く支障がないのである。また、両小天板の間に棚板が存在する場合には、小天板と棚板を面一に設定して横幅の広い一体の棚として使用したり、高さを違えて段差付きの棚を構成すれば小天板と棚板を別機能そして使用できるのである。
【００１７】
請求項５によれば、側方にデスクを並べて設置した場合、両デスクに設けた小天板の側端縁同士が接合若しくは接近して、両小天板があたかも一体的な大きな棚板として利用できるのである。
【００１８】
請求項６によれば、背後のパネル板の前面側に小天板の後端縁が接合若しくは接近して配置されるので、小天板とパネル板とで本棚のような棚を構成できるのである。
【発明を実施するための最良の形態】
【００１９】
次に、添付図面に示した実施形態に基づき、本発明を更に詳細に説明する。図１は本発明に係る昇降天板付きデスクの棚装置の全体斜視図、図２は昇降天板が低い状態の側面図、図３は昇降天板が高い状態の側面図、図４〜図７はその各部の詳細を示し、図中符号１は昇降天板、２は脚体、３はダクト開口、４は幕板、５はパネル板、６は固定脚、７は可動脚をそれぞれ示している。
【００２０】
本発明に係る昇降天板付きデスク装置は、図１〜図３に示すように、昇降天板１の両側を昇降可能な脚体２，２で支持するとともに、両脚体２，２の上端部で後端間に、前記昇降天板１の後縁との間にダクト開口３を設けて幕板４を渡設するとともに、該幕板４の背面に前記昇降天板１より高いパネル板５を取付けた構造のものである。ここで、前記脚体２は、固定脚６の内部に可動脚７の下部を上下動可能に支持した構造とし、これら固定脚６と可動脚７とに関連づけて駆動機構（図示せず）を設けて該可動脚７を昇降可能とし、該可動脚７の上端に取付けた前記昇降天板１の高さを調節可能としたものである。
【００２１】
そして、本発明では、図１に示すように、前記昇降天板１の後方側部であって前記固定脚６に固定支柱８を取付けて立設するとともに、該固定支柱８に小天板９を支持し、前記昇降天板１の昇降動作に干渉されずに前記小天板９の高さを一定に維持することができるようにしている。本実施形態では、前記昇降天板１の後方両側部にそれぞれ前記固定支柱８，８を立設し、具体的には前記ダクト開口３を通して前記固定支柱８，８を立設し、該固定支柱８，８の上端ににそれぞれ小天板９，９を支持している。ここで、前記小天板９の側端縁９Ａを直線状とするとともに、該側端縁９Ａを前記昇降天板１の側縁１Ａと略同一垂直面に設定し、更に前記小天板９の後端縁９Ｂを直線状とし、該小天板９を前記パネル板５の前面に接合若しくは接近させて配置している。
【００２２】
更に、前記昇降天板１の後方両側部に、前述のようにそれぞれ前記固定支柱８，８を立設し、該固定支柱８，８の上端にそれぞれ小天板９，９を支持し、前記昇降天板１の後縁で両小天板９，９より中央寄りの左右両側位置に、該昇降天板１とともに昇降する一対の可動支柱１０，１０を取付けて立設するとともに、両可動支柱１０，１０間にハンギングビーム１１を支持している。
【００２３】
更に詳しくは、前記固定脚６の後端上部は、図１〜図３に示すように、前記可動脚７の後縁に沿って上方へ延長しており、該延長カバー部１２を含む固定脚６の後端面に前記幕板４が着脱可能に取付け、更に前記ダクト開口３内に立設した前記固定支柱８の下端部は、図４に示すように、支持金具１３により前記延長カバー部１２の内面側に取付けている。
【００２４】
本発明に係る昇降天板付きデスクは、図１〜図３に示すように、前記昇降天板１の後縁と幕板４の上端部間に、配線用の上下開放した前記ダクト開口３が形成されており、該ダクト開口３の下方に適宜コード受けを設けている。前記幕板４の上端の高さは、固定天板を有する通常デスクの天板の高さに略一致させ、複数台の異なるデスクを並べて設置したときに外観性の統一が図れるようにしている。また、通常デスクの天板の高さは７０ｃｍに設定されていることが多い。それに対して、パーソナルコンピュータ等のＯＡ機器のキーボード入力作業するデスクでは、天板の高さを６５ｃｍ程度に設定することが多い。勿論、使用者の体格の相違や高さに対する好みがあり、作業の種類によって天板の高さが画一的に決まるものではない。本発明に係る昇降天板付きデスクは、昇降天板１の高さを６５ｃｍから８０ｃｍ程度までは変更できるように十分な調節しろを設定している。
【００２５】
先ず、図４に基づき、前記固定支柱８を前記固定脚６に取付ける構造を説明する。前記固定支柱８は、四角パイプ状の本体部１４の前端部に横幅の広い化粧部１５を外嵌して互に溶接したものであり、前記化粧部１５の後方に段落ち状に横幅の狭い本体部１４が見えている構造である。そして、前記化粧部１５の下端は、前記本体部１４の下端よりも上方位置で設定し、前記固定支柱８の下端部は前記本体部１４が露出した状態となっている。更に、前記固定支柱８の本体部１４の前後厚さは、前記ダクト開口３の開口幅より若干狭く設定している。
【００２６】
また、前記支持金具１３は、板厚が前記化粧部１５の側方突出量よりも若干厚いスチール板で作製した正面視略Ｌ字形の部材であり、前記固定脚６の延長カバー部１２の内面に取付ける垂直板１６の下端に、下方へ段落ちした部分を介して載置板１７を折曲形成するとともに、該載置板１７の先端に立上片１８を形成し、また前記垂直板１６には、上下に取付孔１９，１９を２列形成したものである。前記固定脚６の延長カバー部１２の内部には、ナット板２０を固着し、該ナット板２０には、前記取付孔１９，…に対応させて４つの螺孔２１，…を形成し、該螺孔２１，…に対応する延長カバー部１２の側面は孔を形成している。
【００２７】
そして、前記支持金具１３の垂直板１６を前記固定脚６の延長カバー部１２の内面に接合し、前側一列の取付孔１９，１９に短いネジ２２，２２を挿入して前記ナット板２０の前側一列の螺孔２１，２１に螺合して取付ける。この状態で、前記支持金具１３は、前記ダクト開口３に臨んだ位置に存在することになる。それから、前記固定支柱８の下端部を前記ダクト開口３の上方から挿入し、その下端を前記支持金具１３の載置板１７に載せるとともに、一側面を前記垂直板１６に接合し、前記固定支柱８の本体部１４の下端部に形成した左右貫通した通孔２３，２３に、内方から長いネジ２４，２４を挿通し、後側一列の取付孔１９，１９を通して後側一列の螺孔２１，２１に螺合して取付けるのである。ここで、前記固定支柱８の内側の側面に接近して前記立上片１８が位置し、該固定支柱８の左右方向への変位を規制して強固に立設できるようにしている。尚、前記固定支柱８の前後方向への変位は前記ダクト開口３内に位置しているので、前記昇降天板１の後縁と幕板４の前端とで規制されている。
【００２８】
そして、前記固定支柱８の上端には、図５に示すように、金属製の支持板２５をネジ止め固定し、該支持板２５の上面に載置した前記小天板９を下方からネジ止めして支持している。具体的には、前記支持板２５には、前記固定支柱８に対する取付孔２６，…と、前記小天板９に対する取付孔２７，…を形成し、前記固定支柱８の上端の本体部１４内に固定した固定板２８に形成した螺孔２９，…に前記取付孔２６，…を通してネジ３０，…を螺合し、また前記小天板９の下面に埋設したオニメナット３１，…に前記取付孔２７，…を通してネジ３２，…を螺合して連結する。尚、本実施形態では、前記固定支柱８の上端に小天板９を取付けたが、前記固定支柱８の側面に係止孔を形成し、該係止孔にブラケットを係止し、該ブラケットで小天板を支持することも可能である。
【００２９】
図１に示すように、前記パネル板５の前面であって、前記昇降天板１の後部両側部の上位に前記小天板９，９を、間隔を隔てて設けている。そして、前記小天板９の後端縁９Ｂは前記パネル板５の前面に接合若しくは接近して位置しているので、該小天板９とパネル板５とが一体となって物品を載置するための棚装置を構成している。
【００３０】
次に、図６及び図７に基づき、前記可動支柱１０を前記昇降天板１の後縁に取付ける構造と、該可動支柱１０に前記ハンギングビーム１１を連結する構造を説明する。本実施形態では、左右両側部の小天板９，９の間であって、前記昇降天板１の後縁両側に可動支柱１０，１０を立設して、該可動支柱１０，１０の上端部間にハンギングビーム１１を連結するとともに、該ハンギングビーム１１を連結した部分以外の可動支柱１０の側面には支柱カバー３３を嵌着した構造となっている。
【００３１】
先ず、前記可動支柱１０の構造と、該可動支柱１０を昇降天板１の後縁部に立設する構造を説明する。前記可動支柱１０は、アルミ押出し型材で作製し、全体として四角柱形状であり、両側面に沿って段落ちした係合溝３４，３４を全長に形成し、その断面形状は前記係合溝３４の内部に幅広の係合空間３５を設け、後方の方形部の内部に貫通孔３６を形成するとともに、その前方の三箇所にネジ止め用の下穴溝３７，…を形成したものとなっている。
【００３２】
更に、前記可動支柱１０の係合溝３４は、該可動支柱１０の側面から段落ちして形成し、該段落ち部３８に前記支柱カバー３３が側面と略面一となるように嵌着できるようになっている。また、前記貫通孔３６は、後部の方形部の内周部にガイド部３９を形成するとともに、該ガイド部３９と連通した内部に凹溝部４０を形成して断面略凸字形となっている。
【００３３】
そして、前記可動支柱１０を昇降天板１の縁部に立設する構造として、前記可動支柱１０の該ガイド部３９以外の下端部に固定し、前記昇降天板１の上面に載置するための載置板４１と、前記可動支柱１０の上端に固定し、前記貫通孔３６に連通する通孔４３を形成した受部材４２と、前記可動支柱１０のガイド部３９に下方からスライド係合する垂直板４５と前記昇降天板１の下面を圧接するための水平板４６とを有する側面視略Ｌ字形で、前記垂直板４５の上端部にナット部材４７を固着して上下方向に開口した螺孔４８を形成した固定金具４４と、前記受部材４２の通孔４３に上方から挿入し、前記可動支柱１０の貫通孔３６を通して前記固定金具４４の螺孔４８に螺合する締付ボルト４９とより構成している。
【００３４】
また、前記可動支柱１０の下端部であって前記ガイド部３９を形成する外周部分、即ち方形部に相当するカバー部５０を残して水平に切断し、該切断面５１に前記載置板４１を、前記下穴溝３７，…を利用してネジ５２，…で固定している。前記載置板４１には、前記ネジ５２，…を挿通する取付孔５３，…と、合成樹脂製の化粧カバー５４を係合するための孔や切欠からなる係合部５５，…を形成している。前記化粧カバー５４は、平面視略コ字形であり、周囲部で前記載置板４１を外覆できるとともに、前記可動支柱１０を外嵌できる形状となっており、内周部には前記係合部５５，…に係合する爪片５６，…を突設している。そして、前記化粧カバー５４の爪片５６，…を前記係合部５５，…に係合するとともに、前記載置板４１の周囲を外覆した状態で、前記可動支柱１０の切断面５１に該載置板４１をネジ止めする。尚、前記化粧カバー５４を前記載置板４１に嵌着するのは、該載置板４１を可動支柱１０の切断面５１にネジ止めする前後の何れでもよい。
【００３５】
また、前記受部材４２は、本実施形態では可動支柱１０の断面よりも小さな板部材であり、前記可動支柱１０の中央部の下穴溝３７を利用してネジ５７で固定するための取付孔５８を形成するとともに、端部に可動支柱１０内へ嵌合する嵌合片５９を下向きに折曲形成し、前記締付ボルト４９の軸部６０を挿通し且つ頭部６１を係止するための前記通孔４３を形成している。そして、前記受部材４２を前記可動支柱１０の上端に載せて嵌合し、上方からネジ５７を取付孔５８に通して前記下穴溝３７に螺合して連結する。尚、前記受部材４２は、後述のように、可動支柱１０の上端に棚板６２を取付ける場合には、該可動支柱１０の断面よりも充分に広い面積の板部材とする。
【００３６】
図６及び図７に示すように、前記可動支柱１０のガイド部３９に前記固定金具４４の垂直板４５をスライド係合させて装着するが、下端部に形成したカバー部５０の内部に前記ガイド部３９を有しているため、該固定金具４４が上昇した際に、前記水平板４６を逃すためにガイド部３９の両側部の内側壁を切欠して開口部６３を形成している。
【００３７】
そして、前記可動支柱１０の下端部からガイド部３９に、前記固定金具４４の垂直板４５をスライド係合させるとともに、前記ナット部材４７をガイド部３９と凹溝部４０に受け入れた状態で、前記受部材４２の通孔４３に上方から締付ボルト４９の軸部６０を挿入し、前記貫通孔３６内に挿入して下端部に位置する前記ナット部材４７の螺孔４８に螺合する。図７に示すように、前記受部材４２の上面に位置する前記締付ボルト４９の頭部６１に工具を係合して回転させることにより、前記ナット部材４７が締付ボルト４９の軸部６０に対して螺進退し、該固定金具４４が昇降するのである。ここで、図６及び図７に示すように、前記昇降天板１に傷を付けないようにするために、前記固定金具４４の水平板４６の上面にパット６４を添設するとともに、前記載置板４１の下面にも同様にパット６４を添設している。
【００３８】
そして、前記載置板４１と固定金具４４の水平板４６の間隔を広げた状態で、前記昇降天板１の後端と前記幕板４の上端間に設けた上下開放したダクト開口３に、上方から前記固定金具４４の下部と前記可動支柱１０のカバー部５０を差し入れ、前記載置板４１を昇降天板１の後縁部上面に載置するとともに、前記固定金具４４の水平板４６を昇降天板１の後縁部下面に位置させ、そして前記可動支柱１０の上端部に露出した前記締付ボルト４９の頭部６１を回転させて固定金具４４を引き付け、前記載置板４１と水平板４６とで前記昇降天板１の後縁部を上下から挟持して当該可動支柱１０を立設するのである。
【００３９】
次に、前記可動支柱１０の側面に前記ハンギングビーム１１を連結する構造を図６及び図７に基づいて説明する。前記可動支柱１０の両側面に、内部に幅広の係合空間３５を設けた係合溝３４，３４を全長に形成するとともに、該係合溝３４に支柱カバー３３を着脱可能に嵌着し、前記ハンギングビーム１１の端部には単又は複数の螺孔６６を形成した連結板６５を取付け、締付板６７の通孔６８，６８に挿通した固定ネジ６９，６９を前記連結板６５の螺孔６６，６６に緩く螺合した状態で、前記締付板６７を前記係合溝３４の係合空間３５内に上方から係合するとともに、前記連結板６５又はハンギングビーム１１の下端を前記支柱カバー３３の上端に載置し、前記可動支柱１０の両係合溝３４，３４に貫通させて形成した操作孔７０，７０に反対側の係合溝３４側から差し込んだ工具で前記固定ネジ６９，６９を回転させて連結するものである。それから、前記可動支柱１０の反対側、即ち工具を挿入する側の係合溝３４には上下全長に渡って支柱カバー３３を嵌着し、外観性を高めている。ここで、前記締付板６７は、個々の前記固定ネジ６９に挿着する平ワッシャに置き換えても良く、更に締付板６７を全く用いずに直接前記固定ネジ６９の頭部７１で係合溝３４内に係止しても良い。
【００４０】
また、前記可動支柱１０の係合空間３５には前記固定ネジ６９の頭部７１を受け入れる凹溝７２を有し、全体として断面略凸字形の空間としている。また、前記連結板６５は、前記係合溝３４の段落ち部３８に嵌合する横幅で、前記ハンギングビーム１１の上下寸法と略一致した上下高さを有し、上下部に取付孔７３，７３を形成し、外側方から取付孔７３，７３に挿通した取付ネジ７４，７４をハンギングビーム１１の下穴溝７５，７５に螺合して該ハンギングビーム１１の端部に予め取付ける。
【００４１】
ここで、前記締付板６７は、その通孔６８，６８に挿通した固定ネジ６９，６９を、前記ハンギングビーム１１の端部に取付ネジ７４，７４にて取付けた連結板６５の螺孔６６，６６に緩く螺合しておくが、該締付板６７と連結板６５の間に前記係合溝３４の溝縁部の厚さより若干広くするだけであるので、前記締付板６７を係合空間３５内に挿入した後、前記固定ネジ６９，６９を僅かに回転させるだけで、強固に締付けることができるのである。更に、予め所定長さに設定して切断した前記支柱カバー３３を前記係合溝３４の段落ち部３８に埋没状態で嵌着しておくことにより、上方から前記締付板６７を係合空間３５内に挿入した際に、前記段落ち部３８に係合する前記連結板６５の下端が前記支柱カバー３３の上端に載置されて正確に位置決めされるので、前記操作孔７０，７０と固定ネジ６９，６９の位置も自動的に合致するので作業が極めて容易になる。
【００４２】
前記ハンギングビーム１１は、アルミ押出し型材で作製し、前後両面にそれぞれ２条の係止レール７６，７６を上下に並設している。尚、前記係止レール７６は表裏両面にそれぞれ１条ずつ設けても良い。前記ハンギングビーム１１の前面側の係止レール７６には、前記連結板６５を端部に取付ける前に、ＦＰＤ等のオプション支持部材の係止板を側端開放部から挿入して装着し、また裏面側の係止レール７６，７６には、前面側からであって、上方又は下方から配線コード受部材の係止片を係止して配線コードを保持できるようになっている。また、前記可動支柱１０の上端には、前述の連結作業が一通り終了した後に、合成樹脂製の天キャップ７７を嵌着して前記受部材４２や締付ボルト４９の頭部６１を隠蔽している。
【００４３】
そして、図８に示した第２実施形態では、両可動支柱１０，１０の上端で横幅の広い一枚の棚板６２を支持している。尚、一つの前記可動支柱１０の上端に横幅の狭い小棚板（図示せず）を支持することも可能である。それには、前記可動支柱１０の上端に取付ける受部材４２を面積の広い板体とし、該板体に前記棚板６２の下面にネジ止めするための取付孔と棚板６２の下面にはオニメナット（共に図示せず）を埋設しておけば良い。前記棚板６２の横幅は、前記両小天板９，９の内端間隔よりも若干狭くして、前記昇降天板１の昇降動作に伴って両小天板９，９間を前記棚板６２が昇降し、該棚板６２と小天板９の相対的な高さ位置を変更することができる。例えば、前記両小天板９，９と棚板６２の高さを同一にして、全体として広い棚板として利用したり、小天板９と棚板６２に段差を設けて段差付きの棚板として利用することができる。
【００４４】
また、図９に示したものは、図１に示した昇降天板付きデスクを左右に二つ並設した態様を示し、この場合、中央部で隣接する小天板９，９の側端縁９Ａ，９Ａ同士が接合して二倍の広さの島置き棚板を構成できるのである。
【００４５】
このように、前記脚体２の固定脚６に取付けた固定支柱８で支持した小天板９は、前記昇降天板１を昇降操作して高さを変更しても前記小天板９の高さは変化しないので、この小天板９に電話機や茶碗等を安定に載置することができる。尚、前記小天板９にはブックエンドや仕切板を取付けて完全な本立てとして機能させることも好ましい。一方、両小天板９，９間に配置し、前記昇降天板１の後縁に立設した可動支柱１０，１０で支持されたハンギングビーム１１にＦＰＤを装着すれば、昇降天板１との相対的高さを維持しながら該昇降天板１と共に高さを変更することができるのである。また、両可動支柱１０，１０で棚板６２を支持した場合には、固定的な小天板９，９と組み合わせて多様な棚装置を構成できるのである。
【図面の簡単な説明】
【００４６】
【図１】本発明の棚装置を適用した昇降天板付きデスクの斜視図である。
【図２】昇降天板が低い状態のデスクの側面図である。
【図３】昇降天板が高い状態のデスクの側面図である。
【図４】脚体の固定脚に固定支柱を取付ける構造を示す分解斜視図である。
【図５】同じく固定支柱に小天板を支持する構造を示す分解斜視図である。
【図６】昇降天板の後縁に可動支柱の取付ける構造を示す分解斜視図である。
【図７】同じく可動支柱にハンギングビームを連結する構造を示す分解斜視図である。
【図８】可動支柱に棚板を支持した態様を示す斜視図である。
【図９】二つの昇降天板付きデスクを左右に並設した態様を示す斜視図である。
【符号の説明】
【００４７】
１  昇降天板、            １Ａ  側縁、
２  脚体、                ３  ダクト開口、
４  幕板、                ５  パネル板、
６  固定脚、              ７  可動脚、
８  固定支柱、            ９  小天板、
９Ａ  側端縁、            ９Ｂ  後端縁、
１０  可動支柱、          １１  ハンギングビーム、
１２  延長カバー部、      １３  支持金具、
１４  本体部、            １５  化粧部、
１６  垂直板、            １７  載置板、
１８  立上片、            １９  取付孔、
２０  ナット板、          ２１  螺孔、
２２  ネジ、              ２３  通孔、
２４  ネジ、              ２５  支持板、
２６  取付孔、            ２７  取付孔、
２８  固定板、            ２９  螺孔、
３０  ネジ、              ３１  オニメナット、
３２  ネジ、              ３３  支柱カバー、
３４  係合溝、            ３５  係合空間、
３６  貫通孔、            ３７  下穴溝、
３８  段落ち部、          ３９  ガイド部、
４０  凹溝部、            ４１  載置板、
４２  受部材、            ４３  通孔、
４４  固定金具、          ４５  垂直板、
４６  水平板、            ４７  ナット部材、
４８  螺孔、              ４９  締付ボルト、
５０  カバー部、          ５１  切断面、
５２  ネジ、              ５３  取付孔、
５４  化粧カバー、        ５５  係合部、
５６  爪片、              ５７  ネジ、
５８  取付孔、            ５９  嵌合片、
６０  軸部、              ６１  頭部、
６２  棚板、              ６３  開口部、
６４  パット、            ６５  連結板、
６６  螺孔、              ６７  締付板、
６８  通孔、              ６９  固定ネジ、
７０  操作孔、            ７１  頭部、
７２  凹溝、              ７３  取付孔、
７４  取付ネジ、          ７５  下穴溝、
７６  係止レール、        ７７  天キャップ。
【図１】
2008119072.tif 000003
【図２】
2008119072.tif 000004
【図３】
2008119072.tif 000005
【図４】
2008119072.tif 000006
【図５】
2008119072.tif 000007
【図６】
2008119072.tif 000008
【図７】
2008119072.tif 000009
【図８】
2008119072.tif 000010
【図９】
2008119072.tif 000011